(57)【特許請求の範囲】
【請求項１】
スピニングリールのリール本体の前方に配置されたロータの第１及び第２ロータアームの先端に糸案内姿勢と糸開放姿勢とに揺動自在に設けられ、前記糸案内姿勢のときスプールに釣り糸を案内するスピニングリールの釣り糸案内機構であって、
前記第１及び第２ロータアームの先端にそれぞれ揺動自在に装着された第１及び第２ベール支持部材と、
前記第１ベール支持部材の先端に設けられ前記釣り糸を前記スプールに案内するラインローラと、
前記第１ベール支持部材の先端から突出し前記ラインローラを回転自在に支持する固定軸と、
前記固定軸の先端に設けられ前記ラインローラの外径より大きい外径を有する固定軸カバーと、
前記固定軸カバーと前記第２ベール支持部材との間を連結して前記釣り糸を前記ラインローラに案内するベールと、
前記第１ベール支持部材の前記固定軸突出側に他の部分より突出して配置され前記ラインローラへ釣り糸を誘導するための釣り糸誘導面を有する糸ふけ抑制部と、を備え、
前記第１ベール支持部材は、前記第１ロータアームに揺動自在に取り付けられる円形の取付部と、前記固定軸が固定され前記ラインローラが装着される円形のローラ支持部と、前記取付部とローラ支持部とを連結する略均一肉厚に成型された連結部とを有し、
前記糸ふけ抑制部は、前記連結部の前記スプール側の側面に一体形成され、前記固定軸の突出方向に突出するリブであり、
前記第１ベール支持部材の外周部の長手方向と交差する方向の稜線は、所定の基準点からの最大距離を半径とする球体内に配置され、前記長手方向と交差する外周部は、前記基準点から前記稜線までの距離が外方に向けて徐々に短くなるような曲面形状に形成されている、スピニングリールの釣り糸案内機構。
【請求項２】
前記糸ふけ抑制部は、前記ラインローラの釣り糸案内部分に対向して配置された糸ふけ阻止部を有している、請求項１に記載のスピニングリールの釣り糸案内機構。
【請求項３】
前記第１ベール支持部材の前記外周部の長手方向の稜線は、前記稜線と前記基準点との距離が最大となる第１距離を半径とする球体内部に設けられ、かつ前記稜線と前記基準点との距離が外方に向けて前記第１距離より徐々に小さくなるような曲面形状に形成されている、請求項１又は２に記載のスピニングリールの釣り糸案内機構。
【請求項４】
前記基準点は前記固定軸カバーと前記ベールとの接合点である、請求項１から３のいずれかに記載のスピニングリールの釣り糸案内機構。
【請求項５】
前記第１ベール支持部材は合成樹脂製であり、表面に金属メッキ層が形成されている、請求項１から４のいずれかに記載のスピニングリールの釣り糸案内機構。
【請求項６】
前記第１及び第２ベール支持部材は、前記第１及び第２ロータアームに外側で揺動自在に支持されている、請求項１から５のいずれかに記載のスピニングリールの釣り糸案内機構。
【発明の詳細な説明】
【０００１】
【発明の属する技術分野】
本発明は、釣り糸案内機構、特に、スピニングリールの１対のロータアームの先端に設けられスプールに釣り糸を案内するスピニングリールの釣り糸案内機構に関する。
【０００２】
【従来の技術】
スピニングリールには、釣り糸をスプールに案内する釣り糸案内機構が設けられている。釣り糸案内機構は、１対のロータアームの先端に揺動自在に支持された１対のベール支持部材と、一方のベール支持部材の先端にその一端が固定された固定軸と、固定軸の他端に固定された固定軸カバーと、固定軸カバーに一端が取り付けられたベールと、ラインローラとを備えている。ベールの他端は、ベール支持部材の他方の先端に取り付けられている。このベールの一端は折れ曲がって固定軸カバーの側頂部に挿入固定されている。ラインローラは、固定軸カバーとベール支持部材との間で固定軸に回転自在に支持されている。
【０００３】
このような釣り糸案内機構を有するスピニングリールでは、釣り糸をスプールに巻き取る際に、ベールを糸巻取姿勢側に揺動させハンドルを回す。すると、釣り糸はベールに誘導されて固定軸カバーを介してラインローラの外周面に案内されて接触する。そして、ラインローラに案内されて釣り糸の方向が変えられスプール外周に巻き取られる。
【０００４】
【発明が解決しようとする課題】
前記従来の釣り糸案内機構では、糸巻取時に仕掛けから魚が外れたりして釣り糸の張力が弱まったとき、ラインローラから釣り糸が離れる、いわゆる糸ふけが生じることがある。このような釣り糸は、管理釣り場で行うます釣りのように細い釣り糸を使う釣りで発生することが多い。糸ふけが生じると、スプールの糸巻部より後方、さらにはスプールの内部に侵入して絡みつく糸落ちや糸が捩じれる糸よれ等の現象が生じる。このような現象が生じた状態でハンドルを回すと、ベール支持部材やスプールに釣り糸が絡みやすくなる。ベール支持部材やスプールに釣り糸が絡むと、ハンドルを回転させることができず、釣り糸が切れたりさらに他の部位に絡んだりする。
【０００５】
本発明の課題は、スピニングリールの釣り糸案内機構において、糸ふけによる不具合を生じにくくすることにある。
【０００６】
【課題を解決するための手段】
発明１に係るスピニングリールの釣り糸案内機構は、スピニングリールのリール本体の前方に配置されたロータの第１及び第２ロータアームの先端に糸案内姿勢と糸開放姿勢とに揺動自在に設けられ、糸案内姿勢のときスプールに釣り糸を案内する機構であって、第１及び第２ベール支持部材と、ラインローラと、固定軸と、固定軸カバーと、ベールと、糸ふけ抑制部とを備えている。第１及び第２ベール支持部材は、第１及び第２ロータアームの先端に揺動自在に装着されている。ラインローラは、第１ベール支持部材の先端に設けられ釣り糸をスプールに案内する。固定軸は、第１ベール支持部材の先端から突出しラインローラを回転自在に支持する軸である。固定軸カバーは、固定軸の先端に設けられラインローラの外径より大きい外径を有するものである。ベールは、固定軸カバーと第２ベール支持部材との間を連結して釣り糸をラインローラに案内するものである。糸ふけ抑制部は、第１ベール支持部材の固定軸突出側に他の部分より突出して配置されラインローラへ釣り糸を誘導するための釣り糸誘導面を有するものである。第１ベール支持部材は、第１ロータアームに揺動自在に取り付けられる円形の取付部と、固定軸が固定されラインローラが装着される円形のローラ支持部と、取付部とローラ支持部とを連結する略均一肉厚に成型された連結部とを有する。糸ふけ抑制部は、連結部のスプール側の側面に一体形成され、固定軸の突出方向に突出するリブである。第１ベール支持部材の外周部の長手方向と交差する方向の稜線は、所定の基準点からの最大距離を半径とする球体内に配置され、長手方向と交差する外周部は、基準点から稜線までの距離が、外方に向けて徐々に短くなるような曲面形状に形成されている。
【０００７】
この釣り糸案内機構では、糸巻取姿勢にベールを閉じた状態でハンドルを回すと、釣り糸はベールに誘導されて固定軸カバーを介してラインローラの外周面に案内されて接触する。このとき釣り糸に張力が作用しているときにはラインローラによりスムーズにスプールに釣り糸が案内されるが、釣り糸の張力が弱まるとラインローラから釣り糸が離れようとする。しかし、糸ふけ抑制部が第１ベール支持部材の固定軸突出側に他の部分より突出して配置されかつその糸ふけ抑制部にラインローラへ釣り糸を誘導するための釣り糸誘導面が設けられているので、釣り糸がラインローラから離れる糸ふけが生じても釣り糸に張力が作用すれば直ちにもとのラインローラに案内される。この結果、釣り糸の張力が弱まって糸ふけが生じても、それによる不具合が生じにくくなる。
【０００８】
また、第１ベール支持部材に糸ふけ抑制部を一体的に形成したので、別部材で構成する場合に比べて重量増を押さえることができ、回転バランスが崩れにくくなり、かつ安価に糸ふけを抑制できる。
【０００９】
発明２に係るスピニングリールの釣り糸案内機構は、発明１に記載の機構において、糸ふけ抑制部は、ラインローラの釣り糸案内部分に対向して配置された糸ふけ阻止部を有している。この場合には、ラインローラの釣り糸案内部分に対向して糸ふけ阻止部が配置されているので、釣り糸の張力が弱まっても糸ふけが生じにくくなる。
【００１０】
発明３に係るスピニングリールの釣り糸案内機構は、発明１又は２に記載の機構において、第１ベール支持部材の外周部は、外周部と所定の基準点との距離が最大となる第１距離を半径とする球体内部に設けられ、かつ外周部と基準点との距離が外方に向けて前記第１距離より徐々に小さくなるような曲面形状に形成されている。この場合には、たとえば糸絡みを起こす可能性のある任意の位置を所定の基準点として定め、この基準点から第１ベール支持部材の外周部までの間の最大距離を半径とする球体を定義し、この球体内に第１ベール支持部材の外周部が配置されている。そして、第１ベール支持部材の外周部は、釣り糸が案内可能な外方に向けて、基準点と外周部との間の距離が徐々に小さくなるような曲面形状に形成されている。ここでは、たとえば所定の基準点で糸絡みを起こし、第１ベール支持部材の外周部で釣り糸が引っ掛かかった場合でも、巻取動作によって第１ベール支持部材の外周部の引っ掛かり位置が基準点を中心に外方に移動し、ついには抜けきり、それと同時に基準点での糸絡みも解消される。したがって、糸絡みの解消が容易になる。しかも、外周部に硬質被膜が形成されているので、釣り糸が接触しながら移動する際に第１ベール支持部材が傷つきにくくなる。
【００１１】
発明４に係るスピニングリールの釣り糸案内機構は、発明１から３のいずれかに記載の機構において、基準点は前記固定軸カバーとベールとの接合点である。この場合は、糸絡みを起こしやすい固定軸カバーとベールとの接合点を基準点と定めることで、基準点で糸絡みを起こした場合でも、糸絡みの解消が容易になる。
【００１２】
発明５に係るスピニングリールの釣り糸案内機構は、発明１から４のいずれかに記載の機構において、第１ベール支持部材は合成樹脂製であり、表面に金属メッキ層が形成されている。この場合には、第１ベール支持部材を安価に軽量化しても、第１ベール支持部材に釣り糸が接触したときに第１ベール支持部材が傷つきにくくなる。
【００１３】
発明６に係るスピニングリールの釣り糸案内機構は、発明１から６のいずれかに記載の機構において、第１及び第２ベール支持部材は、第１及び第２ロータアームに外側で揺動自在に支持されている。この場合には、スプールと両ロータアームとの隙間を小さくすることができる。
【００１４】
【発明の実施の形態】
図１に示すスピニングリールは、ハンドル１を有するリール本体２と、リール本体２の前部に回転自在に支持されたロータ３と、ロータ３の前部に配置され釣り糸が巻き付けられるスプール４とを備えている。
【００１５】
リール本体２の上部には、スピニングリールを釣竿に取り付けるための竿取付部２ａが形成されている。また、リール本体２の内部には、ロータ３を回転させるためのロータ駆動機構や、スプール４を回転軸芯に沿って前後方向に移動させてスプール４に釣り糸を均一に巻き取るためのレベルワインド機構等が設けられている。
【００１６】
ロータ３は回転軸に沿って前方に延びる第１ロータアーム５及び第２ロータアーム６を有しており、この両ロータアーム５，６は互いに対向して配置されている。両ロータアーム５，６の先端には釣り糸案内機構としてのベールアーム７が揺動自在に装着されている。ベールアーム７は、糸開放姿勢と糸巻取姿勢との間で揺動し、かつベール反転機構（図示せず）によりハンドル１の糸巻取方向の回転に連動して糸開放姿勢から糸巻取姿勢に戻る。
【００１７】
〔ベールアームの構成〕
ベールアーム７は、第１ロータアーム５の先端に揺動自在に装着された第１ベール支持部材８と、第２ロータアーム６の先端に揺動自在に装着された第２ベール支持部材９とを備えている。さらに、ベールアーム７は、図２及び図３に示すように、第１ベール支持部材８の先端に一端が固定された固定軸１０と、固定軸１０の他端に第１ベール支持部材８と間隔を隔てて設けられた固定軸カバー１１と、固定軸１０に回転自在に支持されたラインローラ１２と、第２ベール支持部材９と固定軸カバー１１との間にわたって設けられたベール１３とを有している。第１ベール支持部材８は、第１ロータアーム５の先端外側に揺動自在に装着されている。第２ベール支持部材９は、第２ロータアーム６の先端外側に揺動自在に装着されている。これらの両ベール支持部材８，９は、高強度合成樹脂製である。
【００１８】
第１ベール支持部材８は、図４及び図５に示すように、第１ロータアーム５に固定ボルト３０により揺動自在に取り付けられる円形の取付部３１と、固定軸１０が固定されラインローラ１２が装着される円形のローラ支持部３２と、取付部３１とローラ支持部３２とを連結する略均一肉厚に成型された連結部３３とを有している。ローラ支持部３２は、取付部３１とねじれた位置に配置されており、そこには段付きの貫通孔３４（図２参照）が形成されている。貫通孔３４には、固定軸１０を第１ベール支持部材８に固定するための固定ネジ３５が貫通している。
【００１９】
第１ベール支持部材８の外周部３６の長手方向の稜線３６ａは、図５に示すように、固定軸カバー１１とベール１３との接合点（段差が生じている点）である基準点Ｐから稜線３６ａまでの最大距離である第１距離Ｒ１を半径とする球体内に配置されている。基準点Ｐから稜線３６ａまでの距離Ｒ１ａ、Ｒ１ｂは外方に向けて第１距離Ｒ１より徐々に短くなるように形成されている。すなわち、距離Ｒ１ｂは距離Ｒ１ａより短くなるように形成されている。また、第１ベール支持部材８の外周部３６の長手方向と交差する方向の稜線３６ｂは、図３に示すように、基準点Ｐから稜線（上方視断面における外周部）３６ｂまでの最大距離である第２距離Ｒ２を半径とする球体内に配置されている。基準点Ｐから稜線３６ｂまでの距離Ｒ２ａは外方に向けて第２距離Ｒ２より徐々に短くなるように形成されている。なお、第２距離Ｒ２と第１距離Ｒ１とは同一の長さである。
【００２０】
このような範囲に外周部３６の形状を設定すると、たとえば基準点Ｐで糸絡みを起こし、第１ベール支持部材８の外周部で釣り糸が引っ掛かかった場合でも、巻取動作によって第１ベール支持部材８の外周部の引っ掛かり位置が基準点Ｐを中心に外方に移動し、ついには抜けきり、それと同時に基準点Ｐでの糸絡みも解消される。したがって、糸絡みの解消が容易になる。
【００２１】
図６に示すように、第１ベール支持部材８の連結部３３は、略均一肉厚で一体形成されており、そこには、他の部分より内側に突出して配置されラインローラ１２へ釣り糸を誘導するための釣り糸誘導面３７ａと糸ふけ阻止面３７ｂを有する糸ふけ抑制部３７が一体で形成されている。糸ふけ抑制部３７は、連結部３３に固定軸１０の突出方向に突出して形成されたリブであり、釣り糸誘導面３７ａは、リブの先端にラインローラ１２の外周面に向かって傾斜して形成されている。糸ふけ阻止面３７ｂは、ラインローラ１２に対向して配置されている。このような糸ふけ抑制部３７は、糸ふけが生じてラインローラ１２から釣り糸が離反しても、離反した釣り糸をラインローラ１２に向けて案内するので、糸ふけによる不具合を未然に防止することができる。
【００２２】
図７に示すように、第１ベール支持部材８は、母材部としての合成樹脂製の本体部１７と、本体部１７の外周部に形成された硬質被膜としてのメッキ層１８とを有している。本体部１７は、たとえば、ＡＢＳ樹脂とＰＣ樹脂とを５０％ずつ混合した合成樹脂製の部材である。ＡＢＳ樹脂とＰＣ樹脂との混合割合は、４０：６０から６０：４０までの範囲が好ましい。このような範囲であると、得られる合成樹脂製の第１ベール支持部材８が強度を維持して表面にメッキ層１８を形成しやすい。メッキ層１８は、たとえば非電解メッキ法である化学メッキ法により形成されたパラジウム（Ｐｄ）メッキ層である。このようなパラジウムメッキ層は、クロムメッキ層に比べて安価であり、かつ表面が滑らかになるので、釣り糸の滑りがよくなり、さらに合成樹脂より硬度が高くなるので傷つきにくくなる。また、金属光沢が得られるので高級感を演出でき耐久性も高くなる。
ここで、メッキ層１８は、たとえば無電解メッキ処理法により形成されたパラジウム（Ｐｄ）メッキ層である。この場合には、電解メッキ法によるクロムメッキ等より安価に硬質被膜を形成できるとともに、表面がより平滑になり釣り糸が滑りやすくなる。このため糸ふけが生じて釣り糸が外周部３６に接触しても外周部が傷つきにくくなる。
【００２３】
ベール１３は、Ｎｉ−Ｔｉ合金等の超弾性を有する形状記憶合金製の線材からなり、第２ベール支持部材９と固定軸カバー１１とに両端がたとえばかしめ固定されている。ベール１３は、スプール４の周方向外方に凸に湾曲して配置され、釣り糸を固定軸カバー１１に導く。
【００２４】
固定軸１０は、ステンレス合金等の金属製の部材であり、図２に示すように、基端が固定軸カバー１１から延びており、先端が第１ベール支持部材８に形成されたローラ支持部３２に固定ネジ３５により固定されている。このローラ支持部３２は、第１ベール支持部材８の先端に円盤状に突出して一体形成されている。また、固定軸１０は、固定軸カバー１１の頂点が所定の方向を向くように回転方向に位置決めしてローラ支持部３２に嵌め込まれている。
【００２５】
固定軸カバー１１は、合成樹脂製の部材であり、固定軸１０に回転方向に位置決めして連結されている。固定軸カバー１１は、図２に示すように、頂点が中心からずれた略円錐形状であり、その頂点１１ａは、固定軸１０の軸芯を基準にしてリールの後方向でかつスプール４の径方向外方を向いている。この円錐の頂点１１ａ付近にベール１３が稜線部１１ｂと滑らかに接合されている。このベール１３と固定軸カバー１１との接合部は、円錐の頂点１１ａに位置している。また、固定軸カバー１１の釣り糸案内側と逆側の稜線部１１ｃには、凹んだ欠損部１１ｄが形成されている。
【００２６】
固定軸カバー１１も、図７に示すように、母材部としての本体部１７と、本体部１７表面に形成された硬質被膜としてのメッキ層１８とを有している。本体部１７は、たとえば、ＡＢＳ樹脂とＰＣ樹脂とを５０％ずつ混合した合成樹脂製の部材である。ＡＢＳ樹脂とＰＣ樹脂との混合割合は、４０：６０から６０：４０までの範囲が好ましい。このような範囲であると、得られる合成樹脂製の固定軸カバー１１も強度を維持して表面に硬質のメッキ層１８を形成しやすい。
【００２７】
ラインローラ１２は、ステンレス合金等の金属製の略筒状部材であり、固定軸１０に軸受２０を介して回転自在に支持されている。軸受２０は、ローラ支持部３２と固定軸カバー１１との間で固定軸１０に嵌められている。軸受２０の内輪２０ａの一端は、ローラ支持部３２に当接し、他端は、固定軸カバー１１との間に配置されたスペーサ２１に当接している。これにより内輪２０ａが軸方向に位置決めされている。
【００２８】
また、ラインローラ１２は、軸受２０の外輪２０ｂに固定軸カバー１１方向に移動不能に嵌め込まれ、釣り糸をスプール４に案内する案内部である周溝１２ａが外周面に形成されている。ラインローラ１２は、軸受２０の外輪２０ｂのローラ支持部３２側の端面に係止するように内方に突出する係止部１２ｂを内周面に有している。これにより、ラインローラ１２は、固定軸カバー１１方向に移動不能になっており、固定軸カバー１１との間に僅かな隙間が常に形成されるようになっている。
【００２９】
ラインローラ１２のローラ支持部３２側の端面と、ローラ支持部３２との間にはポリアセタール等の合成樹脂製のスラスト受けリング２２が配置されている。スラスト受けリング２２は、ラインローラ１２がローラ支持部３２と直接接触するのを防止している。
【００３０】
〔釣り糸の案内動作〕
キャスティング時には、ベールアーム７を糸開放姿勢に倒して釣り竿を前方に振り出す。すると、ルアーなどの仕掛けの自重により釣り糸がスプール４から繰り出される。このとき、風などの影響により釣り糸が糸ふけし、ベールアーム７を糸巻取姿勢に戻したときに、第１ベール支持部材８に接触することがある。このような場合でも、第１ベール支持部材８の外周部３６に硬質被膜であるメッキ層１８が形成されているので、第１ベール支持部材８が傷つきにくくなる。また、糸ふけにより基準点Ｐとの間で糸絡みが生じても、第１ベール支持部材８の外周部３６の形状が徐々に径が小さくなるように形成されているので、釣り糸が第１ベール支持部材８に引っ掛かりにくくなる。
【００３１】
キャスティング後にハンドル１によりロータ３を回転させると、ベールアーム７は、ベール反転機構により糸巻取姿勢に戻る。そしてロータ３が回転により釣り糸はベール１３から固定軸カバー１１を経てラインローラ１２に案内されてスプール４に巻き取られる。このとき、釣り糸はラインローラ１２の周溝１２ａを通してスプール４に案内される。ここで、固定軸カバー１１の表面にメッキ層１８が形成されているので、表面が滑らかになり釣り糸がスムーズに案内される。また、表面の硬度が高くなり、釣り糸が表面を摺りながら移動しても、固定軸カバー１１の表面が傷つきにくくなる。
【００３２】
なお、釣り糸の通過に伴ってラインローラ１２は軸受２０の作用で軽く回転するので、釣り糸には大きな抵抗力はかからずスムーズに通過することができる。
【００３３】
また、風などの影響により釣り糸がラインローラ１２から外れて糸ふけしても第１ベール支持部材８のスプール４側に突出する糸ふけ抑制部３７が形成されているので、離反した釣り糸が再度ラインローラ１２に向けて案内され、糸ふけによる不具合が生じにくくなる。
【００３４】
〔他の実施形態〕
前記実施形態では、第１ベール支持部材８を第１ロータアーム５の外側に配置したが、第１ベール支持部材８を第１ロータアーム５の内側に配置してもよい。
【００３５】
〔参考例〕
前記実施形態では、糸ふけ抑制部３７を第１ベール支持部材と一体で形成したが、図８では別に設けている。糸ふけ抑制部１３７は、固定ボルト３０により第１ベール支持部材８とともに第１ロータアーム５に揺動自在に装着されている。糸ふけ抑制部１３７は、第１ベール支持部材８の内側面に沿う形状の板状部材であり、釣り糸をラインローラ１２に向けて誘導する釣り糸誘導面１３７ａを有している。釣り糸誘導面１３７ａは、固定軸１０の突出方向に突出しかつ軸方向と交差する面である。糸ふけ抑制部１３７は、さらに、釣り糸係止凹部１３７ｂと、連動凹部１３７ｃとを有している。釣り糸係止凹部１３７ｂは、糸ふけ抑制部の先端に突出部分から凹んで設けられ、糸落ちした釣り糸を係止可能に形成されている。釣り糸係止凹部１３７ｂは、糸巻取姿勢にあるとき第１ベール支持部材８から僅かに露出している。連動凹部１３７ｃは、第１ベール支持部材８と対向する面に所定角度αで形成された円弧状に形成された長溝であり、第１ベール支持部材８から突出する係止突起３９に係止される。ここでは、第１ベール支持部材８が糸巻取姿勢から糸開放姿勢に所定角度α揺動すると、糸ふけ抑制部１３７が揺動を開始する。したがって、糸ふけ抑制部１３７と第１ベール支持部材８とは所定角度αの位相差をもって揺動する。一方、糸開放姿勢から糸巻取姿勢に戻るときには、図示しない係止構造により同じ位相で戻る。このため、糸開放姿勢に揺動すると釣り糸係止凹部１３７ｂが大きく露出して釣り糸がラインローラ１２から離れるのを妨げにくくなる。
【００３６】
【発明の効果】
本発明に係るスピニングリールの釣り糸案内機構では、糸ふけ抑制部が第１ベール支持部材の固定軸突出側に他の部分より突出して配置されかつその糸ふけ抑制部にラインローラへ釣り糸を誘導するための釣り糸誘導面が設けられているので、釣り糸がラインローラから離れても直ちにもとのラインローラに案内される。この結果、釣り糸の張力が弱まって糸ふけが生じても、それによる不具合が生じにくくなる。
【図面の簡単な説明】
【図１】  本発明の一実施形態を採用したスピニングリールの側面図。
【図２】  ベールアームの先端部の要部半截断面図。
【図３】  ベールアームの先端部の平面図。
【図４】  第１ベール支持部材側の断面部分図。
【図５】  第１ベール支持部材側のベールアームの要部斜視図。
【図６】  図４のVI−VI断面図。
【図７】  第１ベール支持部材の断面模式図。
【図８】  参考例の図４に相当する図。
【図９】  参考例の図５に相当する図。
【符号の説明】
２  リール本体
３  ロータ
４  スプール
５，６  第１及び第２ロータアーム
７  ベールアーム
８，９  第１及び第２ベール支持部材
１０  固定軸
１１  固定軸カバー
１２  ラインローラ
１３  ベール
１８  メッキ層
３１  取付部
３２  ローラ支持部
３３  連結部
３６  外周部
３７，１３７  糸ふけ抑制部
３７ａ，１３７ａ  釣り糸誘導面
３７ｂ  糸ふけ阻止面
１３７ｂ  釣り糸係止凹部
１３７ｃ  連動凹部
【図１】
0004582919.tif 000002
【図２】
0004582919.tif 000003
【図３】
0004582919.tif 000004
【図４】
0004582919.tif 000005
【図５】
0004582919.tif 000006
【図６】
0004582919.tif 000007
【図７】
0004582919.tif 000008
【図８】
0004582919.tif 000009
【図９】
0004582919.tif 000010